(57)【要約】【課題】外観に優れるとともに、経済的に優れる太陽電池モジュールの設置構造を提供すること。【解決手段】屋根２２０の傾斜屋根面２２２の横方向の両側に複数の太陽電池モジュール５０（標準モジュール５１，端部モジュール５２）が設置された端部モジュール群５１０，５１０と、横方向で、両端部モジュール群５１０，５１０の間に設けられた非設置領域５３０と、非設置領域５３０に設置された複数のダミーモジュール６０と、を備える太陽電池モジュールの設置構造とした。【選択図】図１２Ａ
2019143360.tif 000002
【特許請求の範囲】
【請求項１】
屋根の屋根面の横方向の両側に複数の太陽電池モジュールが設置された第１の太陽電池モジュール群および第２の太陽電池モジュール群と、
前記横方向で、前記第１の太陽電池モジュール群と前記第２の太陽電池モジュール群との間に設けられた、太陽電池モジュール非設置領域と、
前記太陽電池モジュール非設置領域に設置された複数のダミーモジュールと、
を備える太陽電池モジュールの設置構造。
【請求項２】
請求項１に記載の太陽電池モジュールの設置構造において、
前記太陽電池モジュールと前記ダミーモジュールは、上面が略同一面に位置して設置されている太陽電池モジュールの設置構造。
【請求項３】
請求項１または請求項２に記載の太陽電池モジュールの設置構造において、
前記屋根面は、傾斜屋根面である太陽電池モジュールの設置構造。
【請求項４】
請求項３に記載の太陽電池モジュールの設置構造において、
前記傾斜屋根面は、前記横方向で中央の矩形部と、その両側の三角部とを備え、
前記第１の太陽電池モジュール群と前記第２の太陽電池モジュール群には、前記三角部の横方向端部に設けられた隅棟に沿う傾斜部を有する端部モジュールが含まれる太陽電池モジュールの設置構造。
【請求項５】
請求項４に記載の太陽電池モジュールの設置構造において、
前記太陽電池モジュール非設置領域および前記ダミーモジュールは、前記矩形部の前記横方向の中央に設けられている太陽電池モジュールの設置構造。
【請求項６】
請求項１〜請求項５のいずれか１項に記載の太陽電池モジュールの設置構造において、
前記ダミーモジュールは、前記屋根面に対して着脱可能に取り付けられている太陽電池モジュールの設置構造。
【請求項７】
請求項１〜請求項６のいずれか１項に記載の太陽電池モジュールの設置構造において、
前記第１の太陽電池モジュール群と前記第２の太陽電池モジュール群とは、それぞれ、独立した配線を有し、かつ、前記配線が前記太陽電池モジュール非設置領域に面して配索されている部位を有する太陽電池モジュールの設置構造。
【請求項８】
請求項１〜請求項７のいずれか１項に記載の太陽電池モジュールの設置構造を備える屋根。
【請求項９】
請求項８に記載の屋根において、
矩形の１面の水平屋根面と、
前記水平屋根面の四辺から軒先に向かって傾斜した４面の傾斜屋根面と、
を備え、
前記傾斜屋根面の傾斜方向の寸法および傾斜角度が一定に設定された屋根。
【請求項１０】
請求項９に記載の屋根において、
前記水平屋根面と、前記傾斜屋根面との少なくとも一面が前記太陽電池モジュールおよび前記ダミーモジュールにより覆われている屋根。
【請求項１１】
請求項８〜請求項１０のいずれか１項に記載の屋根の補修方法であって、
前記ダミーモジュールを前記屋根面から取り外し、前記太陽電池モジュール非設置領域を補修作業用スペースとするステップと、
補修作業終了後に、前記太陽電池モジュール非設置領域に、前記ダミーモジュールを再び取り付けるステップと、
を備える屋根の補修方法。
【発明の詳細な説明】
【技術分野】
【０００１】
本開示は、太陽電池の設置構造、屋根および屋根の補修方法に関するものである。
【背景技術】
【０００２】
従来、建物の屋根に所定の大きさの太陽電池モジュールを配置するのにあたり、効率良く配置するさまざまな工夫が提案されている（例えば、特許文献１参照）。
特許文献１に記載の発明では、矩形の太陽電池モジュールを、屋根面に千鳥状に配置し、横方向の端部の太陽電池モジュールと、屋根の隅棟との間の三角形状の余白部分に三角形の化粧板を設置している。
【０００３】
また、北向きの屋根面など、太陽電池モジュールの非設置部分に、太陽電池モジュールを模したダミーモジュールを設置することも提案されている（例えば、特許文献２参照）。この特許文献２に記載発明では、太陽電池モジュールの非設置部分も外観が太陽電池モジュールに類似したダミーモジュールを設置するため、屋根全体に太陽電池モジュールが設置されているような外観を得ることができ、外観品質に優れる。
【先行技術文献】
【特許文献】
【０００４】
【特許文献１】特開２００８−８８６８７号公報
【特許文献２】特開２００１−２７０２３号公報
【発明の概要】
【発明が解決しようとする課題】
【０００５】
ところで、太陽電池モジュールは、所定の基本寸法に基づいて形成されているため、その大きさの種類がある程度限られる。
それに対し、屋根は、建物の面積に応じて様々な大きさになるため、全ての建物の屋根に、その屋根面の全面に亘って太陽電池モジュールを設置するのは難しい。
【０００６】
このような場合、太陽電池モジュールが設置されない太陽電池モジュール非設置領域が生じるが、従来、特許文献１に記載のように、太陽電池モジュール非設置領域は、太陽電池モジュールの設置領域の外周に設けるのが一般的である。
【０００７】
しかしながら、このような太陽電池モジュール設置領域の外周の太陽電池モジュール非設置領域は、屋根面（建物）の大きさに応じて、様々な大きさや形状になる。このため、このような太陽電池モジュール非設置領域に、ダミーモジュールを設置しようとすると、ダミーモジュールとして多様な大きさ、形状が必要になり、コストアップを招く。
特に、寄棟屋根、入母屋屋根、方形屋根などのように、屋根面の形状が、その横方向両端縁部が傾斜した形状である場合、太陽電池モジュール非設置領域の大きさ、形状が多種多様になり易い。
【０００８】
本開示は、上述の問題に着目して成されたもので、太陽電池モジュールの非設置領域の形状の単純化を図ることで、ダミーモジュールの形状の単純化を図り、外観に優れるとともに、経済的に優れる太陽電池モジュールの設置構造、屋根およびその補修方法を提供することを目的としている。
【課題を解決するための手段】
【０００９】
この目的を達成するため、本開示の太陽電池モジュールの設置構造は、
屋根の屋根面の横方向の両側に複数の太陽電池モジュールが設置された第１の太陽電池モジュール群および第２の太陽電池モジュール群と、
前記横方向で、前記第１の太陽電池モジュール群と前記第２の太陽電池モジュール群との間に設けられた、太陽電池モジュール非設置領域と、
前記太陽電池モジュール非設置領域に設置された複数のダミーモジュールと、
を備える太陽電池モジュールの設置構造とした。
【００１０】
また、本開示の屋根は、本開示の太陽電池モジュールの設置構造を備える屋根である。
さらに、本開示の屋根の補修方法は、
前記ダミーモジュールを前記屋根面から取り外し、前記太陽電池モジュール非設置領域を補修作業用スペースとするステップと、
補修作業終了後に、前記太陽電池モジュール非設置領域に、前記ダミーモジュールを再び取り付けるステップと、
を備える屋根の補修方法とした。
【発明の効果】
【００１１】
本開示の太陽電池モジュールの設置構造では、屋根面の横方向の両側に第１の太陽電池モジュール群および第２の太陽電池モジュール群を設け、その間に太陽電池モジュール非設置領域を設けた。
したがって、太陽電池モジュール非設置領域は、屋根面の形状にかかわらず、矩形形状とすることが可能となる。
よって、ダミーモジュールの形状の単純化を図ることが可能であり、これにより外観に優れるとともに、経済的に優れる太陽電池モジュールの設置構造および屋根を提供できる。
【００１２】
また、本開示の屋根の補修方法では、前記ダミーモジュールを前記屋根面から取り外し、太陽電池モジュール非設置領域を補修作業用スペースとする。したがって、屋根面の端縁部からの作業と比較して、作業性に優れ、配線などの補修作業が容易である。
また、補修作業の終了後は、太陽電池モジュール非設置領域に、ダミーモジュールを再び取り付ける。これにより、屋根面の良好な外観を得ることができる。
【図面の簡単な説明】
【００１３】
【図１】実施の形態１の太陽電池モジュールの設置構造を備える屋根を備えるユニット建物の概略を示す斜視図である。
【図２】実施の形態１の太陽電池モジュールの設置構造を示す断面図であって、図１のＳ２−Ｓ２線の位置における断面を示す。
【図３Ａ】実施の形態１の太陽電池モジュールの設置構造に用いる第１の下地鋼板を示す斜視図である。
【図３Ｂ】実施の形態１の太陽電池モジュールの設置構造に用いる第２の下地鋼板を示す斜視図である。
【図４】前記第１の下地鋼板の下地鋼板受金具の端部を示す斜視図である。
【図５】前記第２の下地鋼板の下地鋼板受金具の端部を示す斜視図である。
【図６Ａ】屋根および太陽電池モジュールの設置構造の一例を示す平面図である。
【図６Ｂ】前記屋根の南側の屋根面における太陽電池モジュールの設置例を示す正面図である。
【図６Ｃ】前記屋根の東（西）側の屋根面における太陽電池モジュールの設置例を示す正面図である。
【図７】太陽電池モジュールの前記第１の下地鋼板への取付構造の説明図である。
【図８Ａ】太陽電池モジュールの前記第１の下地鋼板への取付構造の要部を示す斜視図であって、図７のＹ８Ａ線に囲まれた部分を示す。
【図８Ｂ】太陽電池モジュールの前記第１の下地鋼板への取付構造の要部を示す断面図であり、図７のＳ８Ｂ−Ｓ８Ｂ線の位置での断面を示す。
【図８Ｃ】太陽電池モジュールの前記第１の下地鋼板への取付構造の要部を示す断面図であり、図７のＳ８Ｃ−Ｓ８Ｃ線の位置での断面を示す。
【図８Ｄ】太陽電池モジュールの前記第１の下地鋼板への取付構造の要部を示す断面図であり、図７のＳ８Ｄ−Ｓ８Ｄ線の位置での断面を示す。
【図９Ａ】実施の形態１の太陽電池モジュールの設置構造を備える屋根を示す平面図である。
【図９Ｂ】実施の形態１の太陽電池モジュールの設置構造を備える屋根の南側の屋根面および太陽電池モジュールの配置を示す正面図である。
【図９Ｃ】実施の形態１の太陽電池モジュールの設置構造を備える屋根の東（西）側の屋根面と太陽電池モジュールおよび非設置領域の配置を示す正面図である。
【図１０】実施の形態１の太陽電池モジュールの端部太陽電池モジュール群における配線構造を示す図である。
【図１１Ａ】実施の形態１との比較例の屋根を示す平面図である。
【図１１Ｂ】前記比較例の南側の屋根面および太陽電池モジュールの配置を示す正面図である。
【図１１Ｃ】前記比較例の東（西）側の屋根面および太陽電池モジュールの配置を示す正面図である。
【図１２Ａ】実施の形態１における配線構造の説明図である。
【図１２Ｂ】実施の形態１との比較例の配線構造の説明図である。
【図１３】他のダミーモジュールを示す平面図である。
【図１４】前記他のダミーモジュールを示す断面図であって、図１３のＳ１４−Ｓ１４線の位置での断面を示す。
【発明を実施するための形態】
【００１４】
以下、本開示の実施の形態を図面に基づいて説明する。
［実施の形態１］
まず、本開示の実施の形態１の太陽電池の設置構造および屋根を適用するユニット建物ＵＢについて説明する。
（ユニット建物の構成）
【００１５】
図１は、戸建住宅などのユニット建物ＵＢを示す斜視図である。
このユニット建物ＵＢは、複数の建物ユニット１０と、これらの建物ユニット１０の上に設置された屋根２０とを備える。
【００１６】
建物ユニット１０は、予め工場で製造され、それぞれが、平面視で四角形の直方体状に形成されている。そして、これらの建物ユニット１０を建築現場へ搬送して、建築現場で組み立てることにより、短期間のうちにユニット建物ＵＢを構築できるようにしたものである。
【００１７】
屋根２０は、中央に平面視で矩形状を成す水平かつ平坦な水平屋根面２１を有するとともに、水平屋根面２１の外周の矩形の四辺の位置から下り勾配で傾斜した４つの傾斜屋根面２２，２３，２４，２５を有する寄棟屋根となっている。
なお、図１においてＳが南、Ｅが東、Ｗが西、Ｎが北を示す。
【００１８】
傾斜屋根面２２，２３，２４，２５は、それぞれ平面視で略台形状を成し、隣接するものどうしの間に、斜めに降りる稜線を有して山状に合わされる隅棟２６が形成されている。
したがって、傾斜屋根面２２，２３，２４，２５は、それぞれ、三角部ＴＲと矩形部ＲＥとを備える。すなわち、三角部ＴＲは、隅棟２６と各軒先２２ａ，２３ａ，２４ａ，２５ａとの間に形成される部位である。また、矩形部ＲＥは、水平屋根面２１の外周縁を成す四辺と各軒先２２ａ，２３ａ，２４ａ，２５ａとの間に形成される部位である。
【００１９】
また、屋根２０は、建物ユニット１０の上に設置された骨組状の屋根構造体３０（図２参照）に、略パネル状のパネル構造体４０を斜めに傾けて設置して形成されている。
そして、本実施の形態１では、水平屋根面２１、東、南、西を向いた３面の傾斜屋根面２２，２３，２４に設置されたパネル構造体４０は、太陽電池モジュール５０（図６Ｂ参照）、あるいは後述するダミーモジュール６０（図１２Ａ参照）を備える。
【００２０】
（パネル構造体の説明）
以下に、太陽電池モジュール５０が設置されたパネル構造体４０について説明する。
図２は、屋根２０の図１においてＳ２−Ｓ２線の位置での傾斜屋根面２３の断面を示す断面図である。
【００２１】
パネル構造体４０は、野地板４１と下地鋼板４２と太陽電池モジュール５０とを備える。
野地板４１は、例えば、木製の合板などによりの板状に形成され、屋根構造体３０の小梁３１に固定されている。また、野地板４１は、傾斜に沿う方向の全長が、傾斜屋根面２３の傾斜方向（矢印ＳＬに沿う方向）の略全長に亘る長さに形成され、図示の位置では、屋根構造体３０の桁屋根梁３２と、建物ユニット１０の梁１１とに掛け渡すことができる長さに形成されている。
【００２２】
下地鋼板４２は、ステンレス鋼（ＳＵＳ）などの金属により薄板状に形成され、野地板４１の上面を覆って設けられている。図３Ａは、下地鋼板４２を示す斜視図であり、本体４２１、下地鋼板受金具４２２、水上受鋼板４２３、軒先受金具４２４を備える。なお、矢印ＳＬが屋根２０に設置した際の傾斜方向を示し、矢印ＬＥが設置時の横方向を示している。
【００２３】
本体４２１は、長方形の薄板状に形成されている。
下地鋼板受金具４２２は、本体４２１の屋根面設置時の横方向（矢印ＬＥ方向）両端に固定され、図４に示すように、ベース部４２２ａ、立上部４２２ｂ、上部フランジ４２２ｃを備える。ベース部４２２ａは、本体４２１の横方向（矢印ＬＥ方向）の両端縁部の上面に重ねられて、ねじ４２５（図３Ａ参照）により固定され、接着性を有した防水シート４２６が、上から貼付されている。
【００２４】
なお、図３Ａは、水上側端部が水平屋根面２１（図１参照）に沿って配置された下地鋼板４２を示しているが、水上側端部が隅棟２６（図１参照）に沿って配置されたものは、野地板４１、下地鋼板４２は、共に隅棟２６に沿う形状に形成される。
【００２５】
さらに、本体４２１には、図７、図８Ａに示す取付ブラケット７０が固定され、この取付ブラケット７０に太陽電池モジュール５０が着脱可能に取り付けられている。なお、この取付構造の詳細については、後述するが、太陽電池モジュール５０は、図２に示すように、下地鋼板４２に対して上方に一定の間隔をあけて、本体４２１の略全面を覆って取り付けられている。
【００２６】
また、最も水上に配置された太陽電池モジュール５０の水上端縁部と、水平屋根面２１との間は、ステンレス鋼（ＳＵＳ）などの金属製の仕上パネル２７により覆われている。なお、下地鋼板４２、太陽電池モジュール５０、仕上パネル２７は、黒色などの略同一色に着色されている。
【００２７】
図３Ｂは、第２の下地鋼板４３を示す。
この第２の下地鋼板４３は、本体４３１、下地鋼板受金具４３２、水上受鋼板４３３、軒先受金具４３４を備える。この第２の下地鋼板４３は、本体４３１の横方向の幅寸法が図３Ａに示す下地鋼板４２の本体４２１と異なる。そして、下地鋼板４３の横方向の両端に設けられた下地鋼板受金具４３２の形状が、下地鋼板４２の下地鋼板受金具４２２の形状と異なる。
【００２８】
図５は、下地鋼板受金具４３２の端部を示す斜視図であり、図において右側の端部に立ち上げられた立上フランジ４３２ａから、図において左方向に向かって、第１ベース部４３２ｂ、立上門部４３２ｃ、第２ベース部４３２ｄ、立上部４３２ｅ、上部フランジを４３２ｆ備える。
【００２９】
第１ベース部４３２ｂおよび第２ベース部４３２ｄは、本体４３１の上面にねじ４３５により固定される。また、第２ベース部４３２ｄは、ねじ４３５による固定に加え、下面に設けられた両面接着テープ４３２ｇによっても接着される。
【００３０】
（太陽電池モジュールの配置）
次に、太陽電池モジュール５０の屋根２０における配置について図６Ａ，図６Ｂ，図６Ｃに基づいて説明する。これら図６Ａ，図６Ｂ，図６Ｃでは、東西および南側の屋根面２２〜２４に、後述するダミーモジュール６０を設置することなく太陽電池モジュール５０のみを設置した例を示している。
なお、図６Ａは屋根２０を示す平面図であり、図６Ｂは、南側の傾斜屋根面２３への太陽電池モジュール５０の配置例を示す正面図であり、図６Ｃは、東側の傾斜屋根面２２への太陽電池モジュール５０の配置例を示す正面図である。
【００３１】
前述したように、太陽電池モジュール５０は、水平屋根面２１および３面の傾斜屋根面２２，２３，２４に設置されている。なお、以下の説明において、水平屋根面２１における太陽電池モジュール５０の設置については、説明を省略する。
【００３２】
まず、図６Ｂに示す南側の傾斜屋根面２３における太陽電池モジュール５０の配置について説明する。
図６Ｂに示すように、太陽電池モジュール５０は、傾斜屋根面２３において横方向で隅棟２６と隅棟２６との間のほぼ全面に亘って設置されている。
【００３３】
そして、この傾斜屋根面２３では、設置される太陽電池モジュール５０として、矩形の標準モジュール５１と、隅棟２６に沿って配置される端部モジュール５２とが用いられている。
【００３４】
標準モジュール５１は、図示のように、平面視の形状が矩形状に形成されている。なお、標準モジュール５１として、幅（横方向の寸法）が異なる複数種類のものが設定されている。図６Ｂでは、標準モジュール５１において符号５１の後ろに（ａ）を付したものが、最も標準的な寸法のものを示し、符号５１の後ろに（ｂ）を付けたものが、前記の最も標準的な寸法のものよりも幅広のワイドタイプのものを示している。
【００３５】
端部モジュール５２は、平面視の形状が台形に形成されている。すなわち、端部モジュール５２は、台形の底辺と脚の一方とが直角を成し、もう一方の脚と底辺とがなす角度が、傾斜屋根面２３の軒先２３ａに対する隅棟２６の角度に略一致する角度に形成されている。さらに、端部モジュール５２は、底辺に直角の脚の長さが、標準モジュール５１の傾斜屋根面２３の傾斜方向に沿う辺の長さと同寸法に形成され、かつ、底辺が、標準モジュール５１の横方向に沿う辺の長さと同寸法に形成されている。
【００３６】
したがって、端部モジュール５２は、標準モジュール５１に対して、横方向および傾斜方向のいずれの方向にも並設可能であるとともに、傾斜した脚を隅棟２６に沿わせて設置することができる。
【００３７】
したがって、傾斜屋根面２３では、太陽電池モジュール５０は、横方向の両端部の前述した三角部ＴＲに配置される端部モジュール群５１０，５１０と、これらに挟まれた矩形部ＲＥに配置される矩形部モジュール群５２０とを形成して設置されている。
【００３８】
端部モジュール群５１０は、隅棟２６に沿って配置された３つの端部モジュール５２と、これらの端部モジュール５２と軒先２３ａとの間に設置された標準モジュール５１により形成されている。
【００３９】
矩形部モジュール群５２０は、水平屋根面２１と軒先２３ａとの間に、標準モジュール５１を複数列、複数行並設して形成されている。
【００４０】
そこで、本実施の形態１では、太陽電池モジュール５０を設置するにあたり、傾斜屋根面２２，２３，２４，２５の傾斜方向の寸法および傾斜角度を一定としている。そして、ユニット建物ＵＢの大きさ（平面積）の違いには、水平屋根面２１の寸法で対応するようにしている。
【００４１】
したがって、図６Ｂに示す傾斜屋根面２３では、ユニット建物ＵＢにおける屋根２０の大きさが変化した場合、端部モジュール群５１０は、一定とし、矩形部モジュール群５２０の標準モジュール５１の配列における列数により対応する。
【００４２】
図６Ｃは、東側の傾斜屋根面２２における太陽電池モジュール５０の配置の一例を示している。なお、西側の傾斜屋根面２４における太陽電池モジュール５０の配置も、この東側の傾斜屋根面２２と同様であるため、説明を省略する。
【００４３】
この傾斜屋根面２２も、太陽電池モジュール５０の設置にあたり、横方向の両端部の端部モジュール群５１０，５１０と、両端部モジュール群５１０，５１０に挟まれた矩形部モジュール群５２０とを備える。
【００４４】
したがって、ユニット建物ＵＢによって屋根２０の大きさが変化した場合、上記度同様に、端部モジュール群５１０は、一定であり、矩形部モジュール群５２０の横方向の幅、すなわち、標準モジュール５１の列数により対応する。
【００４５】
（太陽電池モジュールの取付構造）
次に、太陽電池モジュール５０の下地鋼板４２への取付構造について説明する。
なお、この太陽電池モジュール５０の取付構造を説明するのにあたり、矩形部モジュール群５２０における標準モジュール５１の固定構造を説明するが、端部モジュール群５１０においてもその取付構造自体は同様である。
【００４６】
図７は、太陽電池モジュール５０の標準モジュール５１の下地鋼板４２への取付構造の要部を示す斜視図である。
図示のように、標準モジュール５１は、１枚の下地鋼板４２に対し、３枚の標準モジュールを傾斜方向（矢印ＳＬ方向）に直列に並べたものを、横方向（矢印ＬＥ方向）に２列に並べて取り付けられている。
【００４７】
図８Ａ、図８Ｂ、図８Ｃは、標準モジュールの取付構造の要部を示す図であり、図８Ａは図７におけるＹ８Ａの箇所を示す斜視図、図８Ｂは図７のＳ８Ｂ−Ｓ８Ｂ線の位置での断面を示す断面図、図８Ｃは図７のＳ８Ｃ−Ｓ８Ｃ線の位置での断面を示す断面図である。
【００４８】
ここで、図８Ｂ、図８Ｃにより標準モジュール５１を含む太陽電池モジュール５０の構造について説明を加える。
太陽電池モジュール５０は、板状の本体５４を備え、この本体５４は、上側から順にガラス板５４ａ、セル（不図示）、バックシートフィルム５４ｂを順に積層して形成されている。
そして、本体５４の傾斜方向の両端部に、支持フランジ部材５３が取り付けられている。
【００４９】
各標準モジュール５１は、４箇所のコーナ部の傾斜方向の端部を、それぞれ、下地鋼板４２に固定された取付ブラケット７０に固定されている。
取付ブラケット７０は、図８Ａ、図８Ｂに示すように、支持パネル７１が、両端の脚部７２，７２により支持されて下地鋼板４２から上方に離間して配置された略ハット断面状に形成されている。また、支持パネル７１には、上下方向に取付穴７１ａが貫通され、支持パネル７１の裏面に、取付穴７１ａと同軸にウエルドナット７１ｂが固定されている。なお、ウエルドナット７１ｂに代えて、取付穴７１ａの内周をねじ加工（タップ切り）してもよい。
【００５０】
この取付ブラケット７０は、脚部７２がドリルねじ（不図示）により下地鋼板４２に固定されている。そして、標準モジュール５１の傾斜方向の両端部に取り付けられた支持フランジ部材５３が、取付ブラケット７０の支持パネル７１にボルト７３により締結固定されている。したがって、ボルト７３を緩め締結を解除すれば、標準モジュール５１を含む太陽電池モジュール５０を下地鋼板４２から取り外すことが可能となっている。
【００５１】
取付ブラケット７０は、全て共通しているため、図８Ｂに示すように、屋根傾斜方向で一対の標準モジュール５１，５１どうしの間に配置された取付ブラケット７０には、一対の標準モジュール５１，５１が取り付けられている。なお、このボルト７３の締結部位は、図７などに示すカバー部材７４により覆われる。
【００５２】
また、標準モジュール５１において、屋根傾斜方向の端部では、図８Ｃに示すように、１つの取付ブラケット７０の支持パネル７１に１つの標準モジュール５１の支持フランジ部材５３が固定される。そして、支持パネル７１において支持フランジ部材５３が固定されない取付穴７１ａには、ボルト７３を締結した状態でカバー部材７５により覆われている。
【００５３】
なお、標準モジュール５１の横方向の両端部は、図８Ｄに示す端部枠体５５が取り付けられている。また、標準モジュール５１において横方向で下地鋼板４２の端部に位置する箇所では、下地鋼板４２の下地鋼板受金具４２２のフランジ４２２ｆとの間に間隔ＳＰを空けて対向して配置されている。この間隔ＳＰは、所定の寸法となるように管理されている。
【００５４】
また、端部モジュール５２についても、図示は省略するが、傾斜方向の両端部で、上述した取付ブラケット７０の支持パネル７１に対し、ボルト７３により固定され、横方向の両端部には、端部枠体５５が取り付けられている。
【００５５】
このように、太陽電池モジュール５０（各モジュール５１，５２）は、それぞれ、取付ブラケット７０により略同一の高さに支持され、連続的に配置されて各屋根面２１，２２，２３，２４の表面を一体的に形成する。また、傾斜方向に連続する太陽電池モジュール５０どうしの間に、カバー部材７４が太陽電池モジュール５０と同じ高さに配置され、太陽電池モジュール５０の連続性を高めることができる。
また、横方向には、太陽電池モジュール５０の端部枠体５５と、下地鋼板受金具４２２のフランジ４２２ｆとの間に、僅かな間隔ＳＰしか設けられていない。加えて、横方向に隣り合う下地鋼板４２は、下地鋼板受金具４２２どうしを、間隔ＳＰと同等の不図示の僅かな隙間を介して背中合わせで設けられている。これにより、横方向にも太陽電池モジュール５０の連続性が得られる。
【００５６】
（ダミーモジュールの説明）
次に、本開示の特徴であるダミーモジュール６０（図１２Ａ参照）について説明する。
ここで、まず、ダミーモジュール６０を用いる理由について説明する。
ユニット建物ＵＢは、設置する建物ユニット１０の数や大きさにより、床面積が決定され、それに応じて屋根２０および各屋根面２１〜２５の大きさ（平面積）が決定される。そして、各屋根面２１〜２５の大きさにより、設置可能な太陽電池モジュール５０の数も決定される。
したがって、ユニット建物ＵＢ毎に、設置可能な太陽電池モジュール５０の数が変わる。
【００５７】
さらに、建物ユニット１０は、所定の基本となる寸法（モジュール）に基づいて形成されているが、屋根２０は傾斜しているため、屋根２０の形式、形状により、その面積が異なることになる。よって、一定の基準寸法に基づく大きさの太陽電池モジュール５０だけでは、北側を除く各屋根面２１〜２４の全面を覆うことができない場合が生じる。
【００５８】
図９Ａ〜図９Ｃは、実施の形態１の太陽電池モジュール設置構造を適用した屋根２２０の一例を示す。すなわち、図９Ａ〜図９Ｃの屋根２２０は、図６Ａ〜図６Ｃに示した屋根２０に対して、南北方向の寸法を狭めた屋根２２０を示している。なお、図９Ａは屋根２２０の平面図であり、図９Ｂは南側の傾斜屋根面２２３の正面図であり、図９Ｃは東側の傾斜屋根面２２２の正面図である。
【００５９】
この屋根２２０は、屋根２２０（ユニット建物ＵＢ）の寸法を南北方向に狭めた例である。このように、屋根２２０（ユニット建物ＵＢ）の大きさが変わる場合、前述したように、水平屋根面２２１の寸法により対応する。
【００６０】
この屋根２２０は、屋根２０と比較して、水平屋根面２２１の南北方向の寸法を狭めるとともに、東西側の傾斜屋根面２２２，２２４における矩形部（屋根２０における矩形部モジュール群５２０）の横方向の寸法を狭める。この屋根２２０の場合は、矩形部分の面積が、太陽電池モジュール５０の標準モジュール５１の幅よりも狭く、標準モジュール５１を設置できない太陽電池モジュール非設置領域５３０（以下、単に非設置領域５３０と表記する）が生じる。
【００６１】
なお、非設置領域５３０の横方向の両側であって、傾斜方向で隅棟２６に重なる箇所は、端部モジュール群５１０を設置する。この端部モジュール群５１０は、屋根２０に設置したものと同様のものである。
【００６２】
ここで、図９Ｃでは、屋根２２０の寸法を狭めることで非設置領域５３０が生じた例を示しているが、このような太陽電池モジュール５０を設置しない非設置領域５３０は、このように寸法を狭めた場合に限って設置するものではない。この非設置領域５３０は、要は、太陽電池モジュール５０を設置しない領域であって、例えば、図９Ｂに示す傾斜屋根面２２３に設置してもよい。
この場合は、例えば、矩形部モジュール群５２０を横方向に２つに分け、その２つの矩形部モジュール群５２０の間に、非設置領域５３０を設けることができる。あるいは、矩形部モジュール群５２０と、端部モジュール群５１０との間に非設置領域５３０を設けてもよい。
【００６３】
そして、図１０Ｃに示す非設置領域５３０は、太陽電池モジュール５０の標準モジュール５１の幅寸法と異なる幅寸法である例を示しているが、非設置領域５３０は、標準モジュール５１の幅寸法と同一の幅寸法としてもよい。例えば、屋根２０，２２０に対して設置可能な太陽電池モジュール５０の数に対して、必要容量の関係などにより実際に設置する太陽電池モジュール５０の数が少ない場合などにも、非設置領域５３０を設定することができる。このような場合には、非設置領域５３０は、太陽電池モジュール５０を設置可能な幅を有する。
【００６４】
上述のような非設置領域５３０が生じた場合に、本実施の形態１では、ダミーモジュール６０（図１２Ａ参照）を設置する。
ここで、実施の形態１で用いるダミーモジュール６０は、太陽電池モジュール５０の標準モジュール５１から発電要素である不図示のセル（太陽電池素子）を除いて形成している。すなわち、ダミーモジュール６０は、図８Ｂに示す標準モジュール５１の本体５４のガラス板５４ａ、バックシートフィルム５４ｂ、支持フランジ部材５３および図８Ｄに示す端部枠体５５を共用して形成されている。したがって、ダミーモジュール６０については、断面構造の図示は省略するが、図８Ｂ、図８Ｄにおいてセルの図示を省略した標準モジュール５１と同様の構造である。
よって、ダミーモジュール６０は、その上面が太陽電池モジュール５０の上面と同じ高さに配置される。これにより、ダミーモジュール６０と太陽電池モジュール５０とにより、一体的に傾斜屋根面２２２（２２４）の表面を形成する。
【００６５】
また、図９Ｃの非設置領域５３０に設置するダミーモジュール６０は、標準モジュール５１に対して横方向の幅寸法を小さく形成されている。また、非設置領域５３０には、下地鋼板４２（図２など参照）が設置され、この下地鋼板４２に、図８Ｂ、図８Ｃに示した標準モジュール５１の取付構造と同様の構造を用いてダミーモジュール６０が設置される。
したがって、ダミーモジュール６０は、標準モジュール５１と同様の構造に基づいて、傾斜屋根面２２２に設置された下地鋼板２４２に対して着脱可能に取り付けられている。
【００６６】
なお、建物ユニット１０は、予め設定された寸法規格（モジュール）に基づいて設計されているため、上記の非設置領域５３０が生じる場合に、その寸法も予め分かっている。そこで、ダミーモジュール６０の幅寸法は、予め１または複数の種類のものが設定されている。ここで、ダミーモジュール６０の幅寸法が１通りの場合は、これを横方向に複数組み合わせることで、所定の幅の非設置領域５３０に設置可能な幅に設定することが好ましい。
【００６７】
（太陽電池モジュールの配線構造）
次に、非設置領域５３０を有する傾斜屋根面２２３における太陽電池モジュール５０の配線構造を図１０基づいて説明する。
【００６８】
図１０は、端部モジュール群５１０と端部モジュール群５１０との配線５２１，５１２を示す平面図である。この図に示すように、端部モジュール群５１０の配線５１１，５１２は、それぞれ独立して形成されている。そして、配線５１１，５１２は、それぞれ、各端部モジュール群５１０を形成する各標準モジュール５１および端部モジュール５２を直列に接続している。具体的には、配線５１１，５１２は、それぞれ、３つの端部モジュール５２，５２，５２を、水上側から軒先側に直列に接続し、さらに、標準モジュール５１を、軒先側から水上側に向かって直列に接続して形成されている。
【００６９】
（実施の形態１の作用）
＜課題の説明＞
実施の形態１の作用を説明するにあたり、まず、図１１Ａ、図１１Ｂ、図１１Ｃに示す一般的な寄棟式の屋根０２０、すなわち、実施の形態１で示した水平屋根面２１を有しない屋根０２０の場合の課題について説明する。なお、図１１Ａは屋根０２０の平面図であり、図１１Ｂは南側の傾斜屋根面０２３の正面図であり、図１１Ｃは東側の傾斜屋根面０２２の正面図である。
【００７０】
このような一般的な寄棟式の屋根０２０は、建物（屋根０２０）の大きさ（間口、奥行き）に応じ、各傾斜屋根面０２２，０２３の横方向および傾斜方向の長さ、すなわち、棟０２の長さ、および隅棟０２６の長さが変動する。
【００７１】
このため、寸法が予め決まっている大型の太陽電池モジュール５０（標準モジュール５１および端部モジュール５２）を設置する場合、各傾斜屋根面０２２，０２３の横方向の中央から外側の隅棟２６にむかって取り付けていくのが、一般的である。この場合、傾斜屋根面０２２，０２３の大きさに応じ、外周部に、寸法の余りによる余白屋根部０２８が生じる。そして、このような余白屋根部０２８には、小割りの瓦材（不図示）を設置するのが一般的である。
この場合、屋根０２０の大きさに応じて、その都度、小割りの瓦材を設置することになり、コストおよび手間の増大を招く。
【００７２】
上記課題に対し、本実施の形態１で示した、水平屋根面２１，２２１を備えた屋根２０，２２０では、屋根２０，２２０の大きさの変動を、水平屋根面２１，２２１の大きさの変動により調整することができる。これにより、各傾斜屋根面２２〜２５、２２２〜２２５の傾斜方向の寸法および傾斜角度を一定にすることができる。よって、寸法の限られた標準モジュール５１および端部モジュール５２を設置しても、余白屋根部０２８が生じないようにすることができ、前述のような小割の瓦材を設置する材料および手間を削減できる。
【００７３】
しかしながら、この場合も、ユニット建物ＵＢの大きさ、すなわち、屋根２０，２２０の大きさによっては、図１０Ｃで説明したような寸法の余りが生じる場合がある。
このような場合、太陽電池モジュール５０の幅を調整して、各傾斜屋根面２２〜２４の全面を覆うようにすると、太陽電池モジュール５０の大きさの種類が増し、大幅なコストアップを招く。
【００７４】
また、図１０Ｃに示すような傾斜屋根面２２２において、傾斜屋根面２２２の横方向の中央から太陽電池モジュール５０を設置した場合、横方向の両端部モジュール群５１０の太陽電池モジュール５０と隅棟２６との間に、寸法の余りが生じる。
このように、太陽電池モジュール５０と隅棟２６との間に、寸法の余りが生じた場合、この部分に、前述したような小割の瓦材を設置すると、にコスト、手間の増大を招くとともに、２種類の異なる素材により屋根面を覆うことにより、外観品質の低下を招く。
【００７５】
一方、図１０Ｃに示す傾斜屋根面２２２において、非設置領域２３０に何も設置しない場合、上記と同様に外観品質の低下を招くのに加え、風雨が端部モジュール群５１０．５１０の太陽電池モジュール５０の裏側に回り込むおそれがある。この場合、太陽電池モジュール５０や配線５１１，５１２の破損を招くおそれも生じる。
【００７６】
＜実施の形態１による課題解決の説明＞
上記の課題に対し、本実施の形態１では、非設置領域５３０を、端部モジュール群５１０，５１０の間の横方向の中央に配置し、かつ、この非設置領域５３０に、太陽電池モジュール５０（標準モジュール５１）を模したダミーモジュール６０を設置した。
【００７７】
このため、太陽電池モジュール５０と隅棟２６との間に、寸法の余りが生じることが無く、小割の瓦材の設置が不要となり、コストおよび手間の増加を防止できる。
しかも、ダミーモジュール６０は、太陽電池モジュール５０と部品を共用しているため、外観の差異を抑え、高い外観品質を得ることができる。
加えて、ダミーモジュール６０の面材（ガラス板５４ａなど）にて風荷重を受け止めることができ、安定した強度を得ることができる。しかも、両端部モジュール群５１０，５１０の裏側への風雨の進入を抑制し、太陽電池モジュールの５０や配線５１１，５１２の破損も抑制できる。
【００７８】
＜配線の単純化の説明＞
次に、図１２Ａ、図１２Ｂにより配線５１２，５２１の単純化について説明する。
図１２Ａに示すように、本実施の形態１では、東側および西側の傾斜屋根面２２２、２２４では、非設置領域５３０を挟んで、端部モジュール群５１０，５１０を対称に配置している。そして、両端部モジュール群５１０，５１０の配線５１１，５１２も、横方向で対称に形成している。
したがって、配線５１１，５１２の共用化を図ることができ、コスト、手間を抑えることができる。
【００７９】
それに対し、図１２Ｂは、端部モジュール群５１０，５１０の一方に、非設置領域を設け、ダミーモジュール６０を配置した例を示している。
この場合、３つの配線５１２、５１３，５１４が必要となる。
配線５１２は、図において右側に位置する端部モジュール群５１０の各モジュール５１，５２を接続する。配線５１４は、横方向中央の矩形部分に配置された標準モジュール５１，５１，５１を接続する。配線５１３は、図において、左端に位置する３つの端部モジュール５２，５２，５２を接続する。
【００８０】
このように、３種類の異なる配線５１２，５１３，５１４が必要になり、複雑化を招き、コスト、手間が増加する。
本実施の形態１は、このような問題を解決する。
【００８１】
＜補修作業の説明＞
次に、実施の形態１の作用として、両端部モジュール群５１０，５１０のいずれか一方、あるいは両方に異常が発生するなどした場合の補修時の作業手順を説明する。
【００８２】
この場合、まず、非設置領域５３０に設置したダミーモジュール６０を下地鋼板４２から取り外し、非設置領域５３０を作業用通路とする。
なお、このダミーモジュール６０の取り外しの際には、まず、カバー部材７４，７５を取り外し、さらに、ボルト７３を緩め締結状態を解除して、取り外す。
【００８３】
よって、作業者は、作業用通路としての非設置領域５３０を移動して傾斜屋根面２２２などにおける補修作業を行うことができる。また、作業用通路としての非設置領域５３０を通って、水平屋根面２２１へ移動することも可能であり、作業性に優れる。
【００８４】
そして、端部モジュール群５１０，５１０は、配線５１１，５１２を、図１０に示すように、非設置領域５３０に面して配索しているため、これら配線５１１，５１２に関する作業性にも優れる。
なお、各モジュール５１，５２は、ダミーモジュール６０と同様に、ボルト７３を外せば屋根２０から取り外すことが可能となっているため、この補修において、各モジュール５１，５２の交換作業なども容易に行うことができる。
【００８５】
そして、補修作業が終了したら、一旦取り外したダミーモジュール６０を元の位置に戻し、ボルト７３を締結して、固定することができる。したがって、補修前と同様の外観に戻すことができる。
（実施の形態１の効果）
以下に、実施の形態１の太陽電池モジュールの設置構造などの効果を列挙する。
（１）実施の形態１の太陽電池モジュールの設置構造は、
屋根２２０の傾斜屋根面２２２，２２４の横方向の両側に複数の太陽電池モジュール５０（５１，５２）が設置された端部モジュール群５１０，５１０と、
横方向で、両端部モジュール群５１０，５１０の間に設けられた、太陽電池モジュール非設置領域としての非設置領域５３０と、
非設置領域５３０に設置された複数のダミーモジュール６０と、
を備える。
したがって、非設置領域５３０は、傾斜屋根面２２２，２２４の形状にかかわらず、矩形状とすることが可能となる。
よって、ダミーモジュール６０の形状の単純化を図ることが可能であり、これにより外観に優れるとともに、経済的に優れる太陽電池モジュールの設置構造を提供できる。
【００８６】
さらに、非設置領域５３０を設けた屋根面は、傾斜屋根面２２２，２２４であるため、略水平な陸屋根などと比較して、建物の大きさに応じて傾斜や長さが変わることが多い。
しかしながら、非設置領域５３０およびダミーモジュール６０を、傾斜屋根面２２２，２２４の横方向の中間に設けたため、端部モジュール群５１０などの横方向の端部に設ける場合と比較して、ダミーモジュール６０の平面形状の単純化を図ることができる。
【００８７】
（２）実施の形態１の太陽電池モジュールの設置構造は、
太陽電池モジュール５０とダミーモジュール６０は、上面が略同一面に位置して設置されている。
したがって、太陽電池モジュール５０とダミーモジュール６０とにより、傾斜屋根面２２２（２２４）の表面を一体的に形成することができる。
【００８８】
（３）実施の形態１の太陽電池モジュールの設置構造は、
傾斜屋根面２２２，２２４は、横方向で中央の矩形部ＲＥと、その両側の三角部ＴＲとを備え、
端部モジュール群５１０には、三角部ＴＲの横方向端部の隅棟２６に沿う傾斜部（台形の脚）を有する端部モジュール５２が含まれる。
したがって、非設置領域５３０は、隅棟２６に沿う端部モジュール５２を含む端部モジュール群５１０の間に配置することになる。
よって、非設置領域５３０に設置するダミーモジュール６０として、三角部ＴＲに配置する異形の形状のものが不要であり、ダミーモジュール６０の単純化を図って、コスト、手間を抑えることができる。
【００８９】
すなわち、本実施の形態１のように非設置領域５３０およびダミーモジュール６０を矩形部ＲＥに配置したため、ダミーモジュール６０は、平面形状を矩形形状のみとすることができる。よって、ダミーモジュール６０として端部モジュール５２のような異形の形状のものが不要であり、その分、コスト、手間を削減できる。
【００９０】
（４）実施の形態１の太陽電池モジュールの設置構造は、
非設置領域５３０およびダミーモジュール６０は、矩形部ＲＥの横方向の中央に設けられている。
したがって、太陽電池モジュール５０は、横方向に対称に配置することができ、既存のものをそのまま使用しやすく、コスト、手間を抑えることができる。
具体的には、実施の形態１では、非設置領域５３０の左右の端部モジュール群５１０は、他の傾斜屋根面２２３，２２４に用いるものを共用できる。
【００９１】
また、実施の形態１の傾斜屋根面２２２では、非設置領域５３０が矩形部ＲＥと同一の領域であったが、例えば、図６Ｃに示す傾斜屋根面２２において、その左右方向の寸法を拡大し、その中央に非設置領域５３０およびダミーモジュール６０を設けることができる。この場合、図６Ｃに示す矩形部ＲＥに配置された標準モジュール５１をそのまま設置することができる。また、この場合、図７に示すパネル構造体４０を２つ設置すればよく、上記のように、コスト、手間を削減できる。
なお、図６Ｃに示す傾斜屋根面２２において、矩形部ＲＥに設置されるパネル構造体４０の傾斜方向に並ぶ一列の標準モジュール５１，５１，５１に替えてダミーモジュール６０を設置することもできる。
【００９２】
（５）実施の形態１の太陽電池モジュールの設置構造は、
ダミーモジュール６０は、傾斜屋根面２２，２４に対して着脱可能に取り付けられている。
よって、ダミーモジュール６０を取り外して、非設置領域５３０を作業スペースとして利用することが可能となる。
【００９３】
（６）実施の形態１の太陽電池モジュールの設置構造は、
端部モジュール群５１０，５１０は、それぞれ、独立した配線５１１，５１２を有し、かつ、配線５１１，５１２が非設置領域５３０に沿って配索されている部位を有する。
したがって、上記（４）に記載したように、非設置領域５３０を作業スペースとして設置作業や補修作業を行った場合において、配線５１１，５１２に関する作業の作業性に優れる。
【００９４】
（７）実施の形態１の太陽電池モジュールの設置構造は、
傾斜屋根面２２，２４を覆って下地鋼板４２が設けられ、
太陽電池モジュール５０およびダミーモジュール６０は、下地鋼板４２に立設された取付ブラケット７０に取り付けられている。
したがって、太陽電池モジュール５０およびダミーモジュール６０を傾斜屋根面２２，２４に取り付ける部材の共用化を図ることができる。また、同じ、取付ブラケット７０に対して、太陽電池モジュール５０とダミーモジュール６０を選択的に取り付けることが可能となり、太陽電池モジュール５０の設置領域、非設置領域５３０の設計自由度に優れる。
【００９５】
（８）実施の形態１の太陽電池モジュールの設置構造を備える屋根２０は、
上記（１）〜（７）の効果を有する屋根２０を提供することができる。
【００９６】
（９）実施の形態１の太陽電池モジュールの設置構造を備える屋根２０，２２０は、
矩形の１面の水平屋根面２１，２２１と、
水平屋根面２１，２２１の矩形の水平屋根面２１，２２１の四辺から軒先に向かって傾斜した４面の傾斜屋根面２２〜２５、２２２〜２２５と、
を備え、
傾斜屋根面２２〜２５、２２２〜２２５の傾斜方向の寸法および傾斜角度が一定に設定されている。
したがって、この屋根２０，２２０を備えたユニット建物ＵＢの大きさに応じて、傾斜屋根面２２〜２５，２２２〜２２５の傾斜方向の寸法および傾斜角度を一定としつつ、水平屋根面２１，２２１の面積をユニット建物ＵＢの大きさに応じて設定することができる。
これにより、傾斜屋根面２２〜２５，２２２〜２２５のいずれかに太陽電池モジュール５０およびダミーモジュール６０を設置するにあたって、太陽電池モジュール５０およびダミーモジュール６０を設置しない、余分な寸法である余白部分が生じるのを抑えることができる。よって、余白部分に設置が必要な小割の瓦などが不要となり、コストおよび手間の削減を図ることができる。
加えて、各傾斜屋根面２２〜２５，２２２〜２２５の形状変化を抑えることで、非設置領域５３０およびこれに設置するダミーモジュール６０の形状の単純化を図ることも可能となる。
【００９７】
（１０）実施の形態１の太陽電池モジュールの設置構造を備える屋根２０は、
水平屋根面２２１と、傾斜屋根面２２２〜２２５との少なくとも一面が太陽電池モジュール５０およびダミーモジュール６０により覆われている。
したがって、太陽電池モジュール５０とダミーモジュール６０とにより一体的に覆われた屋根面（傾斜屋根面２２２、２２４）を形成することができる。
【００９８】
（１１）実施の形態１の屋根の補修方法は、
ダミーモジュール６０を傾斜屋根面２２，２４から取り外し、非設置領域５３０を補修作業用スペースとするステップと、
補修作業終了後に、非設置領域５３０に、ダミーモジュール６０を再び取り付けるステップと、
を備える。
ダミーモジュール６０には配線などが設けられていないため、これらのダミーモジュール６０の取り外し作業は、太陽電池モジュール５０を取り外す場合と比較して、容易に行うことができる。また、ダミーモジュール６０を取り外した後の非設置領域５３０においても、配線や配線のための部材が設置されていないため、太陽電池モジュール５０を取り外し屋根面を作業用スペースとして用いる場合と比較して、作業性に優れる。
さらに、補修作業の終了後は、非設置領域５３０に、ダミーモジュール６０を再び取り付けることにより、傾斜屋根面２２，２４の良好な外観を得ることができる。
【００９９】
（他の実施の形態）
図１３は、他のダミーモジュール２６０を示す平面図、図１４は、ダミーモジュール２６０の図１３のＳ１４−Ｓ１４の線の位置での断面を示す断面図である。
このダミーモジュール２６０は、実施の形態１で示したダミーモジュール６０と構成が異なり、複数のアルミ製の型材２６０ｃを用いて形成した例である。
【０１００】
このダミーモジュール２６０は、横方向の両端部に、略コの字断面状のアルミ製の枠材２６０ａを有し、かつ、一対の枠材２６０ａ，２６０ａに架け渡した複数の補強材２６０ｂの上に、横方向に型材２６０ｃを複数並設した構造となっている。
【０１０１】
型材２６０ｃは、薄板状のアルミパネルにより形成され、下地鋼板４２の傾斜方向の全長に等しい長さを有している。
したがって、設置する型材２６０ｃの数を変えることで、ダミーモジュール２６０の幅を異ならせることができる。
なお、ダミーモジュール２６０は、太陽電池モジュール５０と同様の色（例えば、黒色）に着色されている。
【０１０２】
したがって、このダミーモジュール２６０は、アルミ製であるため、実施の形態１で示したダミーモジュール６０と比較して安価かつ容易に製造することができる。
しかも、型材２６０ｃは、下地鋼板４２の全長と等しい全長を有するため、部品点数を抑えることができ、コスト的に有利である。
加えて、型材２６０ｃの並設する数によりダミーモジュール２６０の横方向の幅を異ならせるため、ことなるサイズのダミーモジュール２６０を容易に製造することができる。
【０１０３】
以上、実施の形態の太陽電池の設置構造、屋根および屋根の補修方法について説明したが、本開示の太陽電池の設置構造、屋根および補修方法は、本実施の形態に限定されるものではなく、本開示の要旨を変更しない範囲で適宜変更が可能である。
例えば、実施の形態では、屋根としてユニット建物の屋根を示したが、ユニット建物以外の屋根にも提供することができる。また、屋根の形式も、寄棟式に限定されず、陸屋根など寄棟以外の屋根にも適用することができる。
また、図１１Ａ〜図１１Ｃに示した水平屋根面を有しない寄棟屋根の傾斜屋根面（０２２〜０２５）にも適用することができる。この場合、具体的には、図１１Ｃに示す標準モジュール５１の横方向の中央の列を非設置領域とし、この部位にダミーモジュール６０を設置することが可能である。
また、実施の形態では、太陽電池モジュールおよびダミーモジュールの取り付けにあたり、ボルトとウエルドナットや、ねじとタッピング加工とを示したが、各モジュールを着脱可能に取り付けることができるものであれば、これに限定されない。
【０１０４】
また、実施の形態では、太陽電池モジュール非設置領域およびダミーモジュールを傾斜屋根面に設けた例を示したが、これらは、水平屋根面に設けてもよい。特に、傾斜屋根面に設けた太陽電池モジュール非設置領域に連続して、水平屋根面に太陽電池モジュール非設置領域を設けた場合、補修作業時に、補修作業用スペースを傾斜屋根面から水平屋根面に連続させることができ、作業性に優れる。
【符号の説明】
【０１０５】
５０    太陽電池モジュール
５１    標準モジュール
５２    端部モジュール
６０    ダミーモジュール
２２０  屋根
２２１  水平屋根面
２２２  傾斜屋根面
２２３  傾斜屋根面
２２４  傾斜屋根面
２２５  傾斜屋根面
２３０  太陽電池モジュール非設置領域（非設置領域）
２６０  ダミーモジュール
５１０  端部モジュール群（第１の太陽電池モジュール群、第２の太陽電池モジュール群）
５１１  配線
５１２  配線
ＲＥ    矩形部
ＴＲ    三角部
【図１】
2019143360.tif 000003
【図２】
2019143360.tif 000004
【図３Ａ】
2019143360.tif 000005
【図３Ｂ】
2019143360.tif 000006
【図４】
2019143360.tif 000007
【図５】
2019143360.tif 000008
【図６Ａ】
2019143360.tif 000009
【図６Ｂ】
2019143360.tif 000010
【図６Ｃ】
2019143360.tif 000011
【図７】
2019143360.tif 000012
【図８Ａ】
2019143360.tif 000013
【図８Ｂ】
2019143360.tif 000014
【図８Ｃ】
2019143360.tif 000015
【図８Ｄ】
2019143360.tif 000016
【図９Ａ】
2019143360.tif 000017
【図９Ｂ】
2019143360.tif 000018
【図９Ｃ】
2019143360.tif 000019
【図１０】
2019143360.tif 000020
【図１１Ａ】
2019143360.tif 000021
【図１１Ｂ】
2019143360.tif 000022
【図１１Ｃ】
2019143360.tif 000023
【図１２Ａ】
2019143360.tif 000024
【図１２Ｂ】
2019143360.tif 000025
【図１３】
2019143360.tif 000026
【図１４】
2019143360.tif 000027